(57)【要約】【課題】撮像装置での記録方式が異なっていた場合にも、簡単に動画像データの記録を行う。【解決手段】複数の装着部に装着された記録媒体に動画像データを記録する記録手段と、前記装着部に装着された記録媒体における有効な記録方式と所定の記録方式とが一致するか否かを判定する判定手段と、前記装着部に装着された記録媒体に記録されている全ての動画データを前記装着部に装着された他の記録媒体にコピー手段と、前記コピーが可能か否かを判断する判断手段とを有し、前記装着部に複数の記録媒体が装着されていて、装着されている全ての記録媒体が前記判定手段にで否と判定され、かつ前記コピー判断手段でコピー可能と判断された際、前記動画像コピー手段により記録媒体間の動画データのコピーを行う。【選択図】  図１
2016010084.tif 000002
【特許請求の範囲】
【請求項１】
記録媒体を装着するための複数の装着部と、
前記装着部に装着された記録媒体に、所定の記録方式で動画像データを記録するように制御する記録制御手段と、
前記装着部に装着された記録媒体における有効な記録方式と前記所定の記録方式とが一致するか否かを判定する判定手段と、
前記装着部に装着された記録媒体に記録されている全ての動画データを前記装着部に装着された他の記録媒体するコピー手段と、
前記コピーが可能であるか否かを判断する判断手段とを有し、
前記装着部に複数の記録媒体が装着されていて、装着されている全ての記録媒体が前記判定手段にで否と判定され、かつ前記判断手段でコピー可能と判断された際、前記コピー手段により記録媒体間の動画データのコピーを行うことを特徴とする撮像装置。
【請求項２】
前記装着部に装着された記録媒体に記録されている動画データの記録容量を取得する記録容量取得手段を有し、
前記コピー手段によりコピーする動画データは、前記装着部に装着された記録媒体の中で、前記記録容量取得手段により取得した動画データの容量が最も小さい記録媒体に記録されている動画データであることを特徴とする請求項１に記載の撮像装置。
【請求項３】
前記装着部に装着された記録媒体の総容量を取得する総容量取得手段を有し、
前記コピー手段によりコピーする動画データは、前記装着部に装着された記録媒体の中で、総容量取得手段により取得した総容量が最も大きい記録媒体に記録されている動画データであることを特徴とする請求項１に記載の撮像装置。
【請求項４】
前記装着部に装着された記録媒体の中でどの記録媒体に動画メディアを記録するかを選択する記録媒体選択手段を有し、
前記コピー手段によりコピーする動画データは、前記装着部に装着された記録媒体の中で、前記記録媒体選択手段により選択された記録媒体に記録されている動画データであることを特徴とする請求項１に記載の撮像装置。
【発明の詳細な説明】
【技術分野】
【０００１】
本発明は、撮像装置に関する。
【背景技術】
【０００２】
現在用いられているテレビジョン放送方式は、日本や北米等において用いられているＮＴＳＣ方式と、中国や西欧等において用いられているＰＡＬ方式と、東欧等において用いられているＳＥＣＡＭ方式とに大別される。映像信号および音声信号を記録するカムコーダとしては、ＮＴＳＣ方式とＰＡＬ方式を切替えて記録することができるカムコーダが知られている。このようなカムコーダにおいてはＮＴＳＣ方式とＰＡＬ方式を混在させて１つの記録媒体に記録することが可能である。
【０００３】
しかし、放送方式が混在した記録媒体を再生する場合には再生する動画像データの放送方式に合わせて動画記録装置の放送方式設定を切替える必要がある。動画記録装置の放送方式を切替えるには、一度動画記録装置のリセットを行い立ち上げ直す必要があるために時間がかかる。特許文献１では、記録媒体が装着された際、記録媒体の記録方式が現在の撮像装置の記録方式の設定と異なっていたら警告をする、あるいは初期化を促すことが開示されている。
【先行技術文献】
【特許文献】
【０００４】
【特許文献１】特開２００８−０５４２３１号公報
【発明の概要】
【発明が解決しようとする課題】
【０００５】
しかしながら、上記従来例では、装着された記録媒体に対して初期化を行わなければならず、記録媒体上に記録された動画像データを消さなければその記録媒体に動画像を記録する事が出来ない。
【０００６】
本発明は、記録媒体装着部に装着された記録媒体において有効な記録方式と、動画記録装置での記録方式が異なっていた場合にも、簡単に動画像データの記録が行える装置を提供することを目的とする。
【課題を解決するための手段】
【０００７】
本発明の構成は、記録媒体を装着するための複数の装着部と、前記装着部に装着された記録媒体に、所定の記録方式で動画像データを記録するように制御する記録制御手段と、前記装着部に装着された記録媒体における有効な記録方式と前記所定の記録方式とが一致するか否かを判定する判定手段と、前記装着部に装着された記録媒体に記録されている全ての動画データを前記装着部に装着された他の記録媒体するコピー手段と、前記コピーが可能であるか否かを判断する判断手段とを有し、前記装着部に複数の記録媒体が装着されていて、装着されている全ての記録媒体が前記判定手段にで否と判定され、かつ前記判断手段でコピー可能と判断された際、前記コピー手段により記録媒体間の動画データのコピーを行うことを特徴とする。
【発明の効果】
【０００８】
本発明によれば、記録先に指定されている記録媒体装着部に装着された記録媒体において有効な記録方式と、撮像装置での記録方式が異なっていた場合にも、簡単に動画像データの記録が行える。
【図面の簡単な説明】
【０００９】
【図１】撮像装置の構成を示すブロック図である。
【図２】撮像装置の処理を示すフローチャートである。
【図３】管理情報ファイルの一例を示す図である。
【図４】問い合わせ画面を示す図である。
【図５】実施例１のユーザーインタフェースである。
【図６】撮像装置の処理を示すフローチャートである。
【図７】撮像装置の処理を示すフローチャートである。
【図８】コピー可否判断を説明するための図である。
【発明を実施するための形態】
【００１０】
以下、図面を参照して本発明の好適な実施形態を説明する。
【００１１】
＜第１の実施形態＞
図１に、本発明を適用可能な撮像装置の構成の一例を示す。図１において、内部バス１１６に対して以下の各構成部分が接続される。制御部１０１、記録媒体Ｉ／Ｆ１（１０８）、記録媒体検出部１（１１０）、記録媒体Ｉ／Ｆ２（１１１）、記録媒体検出部２（１１３）、記録媒体Ｉ／Ｆ３（１１４）、不揮発性メモリ１０２、ＲＡＭ１０３、画像処理部１０４、撮像部１０５、表示部１０６、操作部１０７、映像入出力部１１６。内部バス１１６に接続される各構成部は、内部バス１１６を介して互いにデータのやりとりを行うことができるようにされている。
【００１２】
制御部１０１は、撮像装置１０１のシステム全般を制御するシステム制御部である。制御部１０１は不揮発性メモリ１０２に記録されたプログラムをＲＡＭ１０３に展開して実行することで、各構成部を制御し、後述のフローチャートを実行する。不揮発性メモリ１０２は、不揮発性の記録媒体であり、制御部１０１が実行するプログラムや、撮像装置１００がどの放送方式を記録するモードになっているかという放送方式の設定値などの各種設定値を記憶している。撮像装置１００はＰ．ＯＮ時に、ここに保存されている放送方式情報を元に、撮像装置１００が動作する放送方式を決め、撮像装置１００は決められた放送方式で動作する。
【００１３】
また、不揮発性メモリ１０２は、どの記録媒体が記録対象記録媒体に設定されているか、記録媒体間をまたいで動画像を記録するリレー記録モードが選択されていたか、２つの記録媒体に同様の動画像を記録するダブル記録モードが選択されていたか等をバックアップしておくためのメモリとしても用いられる。制御部１０１は、電源がＯＮにされると不揮発性メモリ１０２よりバックアップ情報を読み出し、記録対象記録媒体の設定を行う。また、制御部１０１は電源がＯＦＦにされると記録対象記録媒体の設定情報を不揮発性メモリ１０２にバックアップとして書き込む。
【００１４】
ＲＡＭ１０３は制御部１０１のワークメモリとして用いられる揮発性の記録媒体である。また、ＲＡＭ１０３は撮像部１０１で記録された画像データや着脱可能記録媒体１または２、もしくは着脱不可能記録媒体から読み出した画像データを、画像処理部１０４による画像処理を施すためや、表示部１０５で表示するために一時格納するＶＲＡＭとしても用いられる。
【００１５】
撮像装置１００には、画像データを記録するための記録媒体を２つ装着できる。そのため、記録媒体Ｉ/Ｆ１（１０８）と記録媒体Ｉ/Ｆ２（１１１）の２つのインターフェース（装着部）を有する。各インターフェースはメモリーカード等の着脱可能な記録媒体を挿入可能なスロットになっている。記録媒体Ｉ/Ｆ１（１０８）と記録媒体Ｉ/Ｆ２（１１１）に対する記録媒体の装着状態はそれぞれ記録媒体検出部１（１１０）と記録媒体検出部２（１１３）によって装着あるいは抜かれたことが検出可能である。
【００１６】
制御部１０１は記録媒体検出部１（１１０）または記録媒体検出部２（１１３）により着脱可能な記録媒体が装着されたことを検出すると、装着された記録媒体に記録されている管理情報ファイルを読み出し、記録可能な動画像データの放送方式を判定する。すなわち、有効な放送方式ががＮＴＳＣ方式となっているかＰＡＬ方式となっているかを判定する。
【００１７】
また、撮像装置１００には、画像データを記録する為に、着脱不可記録媒体１１５も装着されいる。、着脱不可記録媒体１１５は、記録媒体ＩＦ３（１１４）を介して、撮像装置１０と接続されており、Ｐ．ＯＮ時に、記録媒体に記録されている管理情報ファイルを読み出し、記録可能な動画像データの放送方式を判定する。
【００１８】
画像処理部１０４は、撮像部１０５で撮像された画像データに、所定の画素補間、縮小といったリサイズ処理や色変換処理を行う。また、画像処理部１０４では撮像された画像データを用いて所定の演算処理が行われ、制御部１０１は得られた演算結果に基づいて撮像部１０５による撮像に関する各種制御（露光制御、オートホワイトバランス制御等）を行う。また、撮像された画像データを圧縮する処理や、読み出した画像データに対するデコード（圧縮されている場合は解凍処理も含む）処理や色変換処理、リサイズ処理等を行う。
【００１９】
撮像部１０５は、撮影レンズ（ズームレンズとフォーカスレンズを含む）と撮像素子を有し、制御部１０の制御に基づき被写体を撮像し、静止画像データや動画像データといった画像データを得る。
【００２０】
表示部１０７は、制御部１０１の制御に基づき、各種設定状態や、撮像部１０５で撮像されている画像、着脱可能記録媒体１または２、または着脱不可能記録媒体などから読み出して再生した画像等を表示するためのディスプレイである。覗き込み形のファインダー内のディスプレイや、バリアングルの液晶モニタ等として構成される。
【００２１】
操作部１０７は撮像装置１０７に電源を供給する指示を行うための電源スイッチや、撮影開始ボタン、カメラモード（撮影モード）や再生モードに切り替え可能なモード切替ボタン等を含む、ユーザからの操作を受け付ける操作部である。
【００２２】
映像入出力部１１６は、テレビ受像機などの外部モニタやビデオデッキなどの外部機器に映像信号を出力したり、外部機器から映像信号を入力するための入出力部である。
【００２３】
次に図２のフローチャートを用いて、本撮像装置が、放送方式の異なる動画像データが記録されている記録媒体が装着されてから、装着された記録媒体に記録可能となるまでの一連の処理について説明する。
【００２４】
Ｓ２０１では、制御部１０１は、内部バス１１６を通して、記録媒体検出部１（１１０）、記録媒体検出部２の検出結果を取得し、撮像装置１００に記録媒体が２個以上装着されているかを判断する。なお、着脱不可能記録媒体１１５は常時接続接続されている。その為、記録媒体検出部１（１１０）、記録媒体検出部２（１１３）のどちらかで記録媒体を検出出来ていれば、制御部１０１は、２個以上の記録媒体が本体に装着されていると判断する。２個以上の記録媒体が本体に装着されていれば、Ｓ２０２に進む。２個以上の記録媒体が本体に装着されていなければ処理を終了する。
【００２５】
Ｓ２０２では、制御部１０１は、撮像装置１００に装着されている記録媒体に記録されている画像データの放送方式と不揮発性メモリ１０２に保存されている撮像装置１１０の記録方式が異なるかを判断する。各記録媒体には画像データの他に図２に示すような管理情報２００が記録されている。管理情報３００は、管理情報のバージョンを示すバージョン情報３０１、管理情報が記録されている記録媒体の画像データは、ＮＴＳＣ方式で記録された画像データか、ＰＡＬ方式で記録された画像データかを示す放送方式情報３０２、画像データの総数を示す、総動画像データ３０３等が記録されている。
【００２６】
制御部１０１はこの管理情報を、各記録媒体検出部が記録媒体を検出した際（着脱不可能記録媒体については、Ｐ，ＯＮ時）に記録媒体Ｉ／Ｆを通して読み込み、各記録媒体の画像データの放送方式を取得する。装着されている全ての記録媒体の放送方式が、撮像装置１００の放送方式と異なればＳ２０３に進む。それ以外の際は、処理を終了する。
【００２７】
Ｓ２０３では、制御部１０１は、記録場対Ｉ／Ｆを通して、撮像装置１００に装着されている記録媒体の総容量、画像データの容量、空き容量を取得し、ＲＡＭ１０３に保存する。その後、ＲＡＭ１０３の情報よりコピー動作により記録媒体に記録されているの画像データ全てが、他の記録媒体にコピー出来るかを判断する。このコピー可否判断を図４を使って説明する。撮像装置１００に、４０１のように、記録媒体１（４０２）と、記録媒体２（４０３）が装着されている。記録媒体１は、画像データが６ＧＢ記録されていて、空き容量は２ＧＢであり、記録媒体２には、画像データが３ＧＢ記録されていて、空き容量は１３ＧＢである。
【００２８】
よって、記録媒体１の画像データを記録媒体２へコピーする事は可能であるが、記録媒体２のデータを記録媒体１にコピーする事は不可能である。この際、制御装置１０１はＲＡＭ１０３に、コピー動作により記録媒体を空ける事ができる旨の情報と、記録媒体１の画像データを記録媒体２へコピーする事が可能である旨の情報を保存する。次に、４０４のように、記録媒体１（４０５）と、記録媒体２（４０６）が装着されている場合の説明をする。記録媒体１は、画像データが３ＧＢ記録されていて、空き容量は５ＧＢであり、記録媒体２には、画像データが４ＧＢ記録されていて、空き容量は１２ＧＢである。
【００２９】
その為、、記録媒体１の画像データを記録媒体２へコピーする事は可能であり、また、記録媒体２のデータを記録媒体１にコピーする事も可能である。この際、制御装置１０１はＲＡＭ１０３に、コピー動作により記録媒体を空ける事ができる旨の情報と、記録媒体１の画像データを記録媒体２へコピーする事が可能である旨、記録媒体２の画像データを記録媒体１へコピーする事が可能である旨の情報を保存する。最後に、４０７のように、記録媒体１（４０８）と、記録媒体２（４０９）が装着されている場合の説明をする。記録媒体１は、画像データが３ＧＢ記録されていて、空き容量は５ＧＢであり、記録媒体２には、画像データが１４ＧＢ記録されていて、空き容量は２ＧＢである。
【００３０】
その為、、記録媒体１の画像データを記録媒体２へコピーする事も、記録媒体２のデータを記録媒体１にコピーする事も不可能である。この際、制御装置１０１はＲＡＭ１０３に、コピー動作により記録媒体を空ける事ができない旨の情報と、記録媒体１の画像データを記録媒体２へコピーする事も、記録媒体２の画像データを記録媒体１へコピーする事も不可能である旨の情報を保存する。制御部１０１はＲＡＭ１０３に保持された、コピー動作により記録媒体を空ける事が出来る旨／出来ない旨の情報より、コピー動作により記録媒体を空ける事が出来るかを出来るかを判断する。記録媒体を空ける事が出来る場合はＳ２０４に進む。また、出来ない場合はＳ２０５に進む。
【００３１】
Ｓ２０４では、制御部１０１は、画像処理部１０４を制御して、コピーにより記録媒体が開く旨のＯＳＤを生成させる。画像処理部１０４は生成したＯＳＤを表示部１０６に送信し、表示部１０６にコピーにより記録媒体が開く旨のＯＳＤ表示を行う。表示部１０６に表示するＯＳＤ表示の一例を５０１に示す。５０３に示すように、撮像装置１００がどの放送方式で動作しているかを表示し、５０２に示すように、記録媒体の画像データを別の記録媒体にコピーすれば、記録媒体に記録が可能な旨の表示をする。また、５０４に示すようにコピーするか否かを選択するＵＩも表示する。ユーザーは操作部１０７を操作して、記録媒体の画像データを別の記録媒体にコピーするか否かを選択する。その後、Ｓ２０５に進む。
【００３２】
Ｓ２０５では、制御置１０１は操作部１０７より入力されるデータをもとにＳ２０４でユーザーがコピーするを選んだか、コピーしないを選んだかを判断する。コピーするを選択した場合はＳ２０６へ進む。また、コピーしないを選んだ場合は終了する。
【００３３】
Ｓ２０６では、制御部１０１は、画像処理部１０４を制御して、コピー方法を選択する旨のＯＳＤを生成させる。画像処理部１０４は生成したＯＳＤを表示部１０６に送信し、表示部１０６にコピーにより記録媒体が開く旨のＯＳＤ表示を行う。ここでコピー方法とは、どの記録媒体の画像データをどの記録媒体にコピーするかという旨のものである。表示部１０６に表示されるコピー方法選択の表示を５０４に示す。ユーザーが選択出来るコピー選択方式としては、５０６〜５０９に示すように、コピー時間優先、記録時間優先、カレントメディア優先、内蔵メディア優先という４つの選択がある。各コピー選択方式のアイコンを表示する。ユーザーは操作部１０７を操作して、この４つのアイコンのうちいずれかを選択する。その後、２０８へ進む。
【００３４】
ここで、各コピー方式について、説明していく。コピー時間優先とは、実コピーの時間が一番短くなるようコピーを行う方式である。４０４時のメディア状態を例に説明していく。記録媒体が４０４の際は、記録媒体１には画像データが３ＧＢ、記録媒体２には画像データが４ＧＢ記録されている。画像データのコピー量は、記録媒体１の画像データを記録媒体２にコピーした際は３ＧＢ、記録媒体２の画像データを記録媒体１にコピーした際は４ＧＢとなる。コピーの時間は容量に依存する。その為、記録媒体１の画像データを記録媒体２にコピーした方が、コピー時間は短い。よって、コピー時間優先のコピーでは、記録媒体１の画像データを記録媒体２にコピーする。
【００３５】
次に記録時間優先のコピー方式について説明していく。記録方式優先のコピー方式とは、記録されている画像データを他の記録媒体にコピーした、その後そのメディアをフォーマットし、記録可能な状態とした際、より長時間記録可能な記録媒体の画像データを他の記録媒体にコピーするというコピー方式である。４０４時のメディア状態を例に説明していく。記録媒体が４０４の際は、記録媒体１の総容量は８ＢＧである。これに対して記録媒体２の総容量は１６ＧＢである。その為、記録媒体２の画像データを記録媒体１にコピーした方が、フォーマト後の記録可能時間が長くなる。よって、記録時間優先のコピー方式では、記録媒体２の画像データを記録媒体１にコピーする。
【００３６】
次にカレントメディア優先の処理について説明していく。撮像装置１００は図１で説明したように、不揮発性メモリ１０２に、記録対象記録媒体を保持している。不揮発性メモリ１０２に保持されている記録対象記録媒体内の画像データを他の記録媒体にコピーするというものが、カレントメディア優先コピーである。４０４のような記録媒体の状態で記録対象記録媒体が、記録媒体１の際は記録媒体１の画像データを記録媒体２にコピーする。尚、記録対象記録媒体が装着されていない時や、記録先対象記録媒体の画像データを他の記録媒体へコピーできない時、（４０１のような記録媒体の状態で記録対象記録媒体が、記録媒体２の時、記録媒体１には２ＧＢしか空き容量がない。しかし、記録媒体２には画像データが３ＧＢ入っている。その為、記録媒体２に画像データを記録媒体１にコピーすることは不可能である。）、カレントメディア優先のアイコンはグレーアウトされて、選択不可能となる。
【００３７】
最後に内蔵メディア優先の処理について説明していく。着脱不可記録媒体１１５の画像データを他の記録媒体にコピーするというものが、内蔵メディア優先のコピーである。４０４のような記録媒体の状態で着脱不可能記録媒体１１５が、記録媒体１だった場合、記録媒体１の画像データを記録媒体２にコピーする。尚、着脱不可能記録媒体の画像データが他の記録媒体へコピーできない時、（４０１のような記録媒体の状態で着脱不可能記録媒体が、記録媒体２の時、記録媒体１には２ＧＢしか空き容量がない。しかし、記録媒体２には画像データが３ＧＢ入っている。
【００３８】
その為、記録媒体２に画像データを記録媒体１にコピーすることは不可能である。）、内蔵メディア優先のアイコンはグレーアウトされて、選択不可能となる。
【００３９】
上記コピー選択方法の判断は制御部１０１が、Ｓ２０３でＲＡＭ１０３に保存した記録媒体の総容量、画像データの容量、空き容量を使用しておこなう。
【００４０】
Ｓ２０７では、制御部１０１はユーザーがＳ２０６で操作部１０７を操作してした情報を元に、ユーザがどのコピー方式を選択したかを判断する。その後、どの記録媒体（以下、コピー元記録媒体）の画像データをどの記録媒体（以下、コピー先記録媒体）にコピーすれば良いかを、ＲＡＭ１０３に保存されている記録媒体の総容量、画像データの容量、空き容量の情報を用いて判断する。その後、制御部１０１は、記録媒体Ｉ／Ｆを制御して、コピー元記録媒体の画像データの一部を、ＲＡＭ１０３に読みだす。その後、ＲＡＭ１０３に保持されている画像データの一部を記録媒体Ｉ／Ｆを制御してコピー先記録媒体に書き込むという処理を繰り返し、コピー元記録媒体の画像データを全て、コピー先記録媒体にコピーする。その後、Ｓ２０８に進む。
【００４１】
Ｓ２０８では、制御部１０１は、画像処理部１０４を制御して、撮像装置１００の動作している放送方式で、コピー元記録媒体を初期化するか否かの警告を表示する。この警告のユーザーインタフェースの一例を５１０に示す。５１１に示すように、コピー元記録媒体を撮像装置１００が動作している放送方式でフォーマットし、コピー元記録媒体を撮像装置１００で記録可能な状態にするか否かの警告文を表示する。そして、５１２に示すように、フォーマットするか否かのアイコンを表示する。ユーザーは操作部１０７を操作して、コピー元記録媒体をフォーマットするか否かを選択する。その後Ｓ２０９に進む。
【００４２】
Ｓ２０９では、制御部１０１は、操作部１０７より入力される情報を元に、Ｓ２０８でユーザーがフォーマットするを選択したか、フォーマットしないを選択したかを判断する。制御部１０１が、フォーマットするを選択したと判断した場合はＳ２１０へ進む。また、フォーマットしないを選択したと判断した場合は終了する。
【００４３】
Ｓ２１０では、制御部１０１は、記録媒体Ｉ／Ｆを制御してコピー元記録をフォーマットする。
フォーマットを行うと、着脱可能記録媒体、もしくは着脱不可能記録媒体は撮像装置１００が採用しているファイルシステムで使用できるように初期化され、記録されていた画像はすべて消去される。そして、制御部１０１の制御に基づいて、撮像装置１００で現在設定されている放送方式に合わせた管理情報ファイルを生成し、コピー元記録媒体に記録する。この管理情報ファイルには、図３で説明したように記録媒体に記録可能な画像データの放送方式（有効な放送方式）が記録されている。その後Ｓ２１１へすすむ。
【００４４】
Ｓ２１１では、制御部１０１は、揮発性メモリ１０２はに記録されている、どの記録媒体が記録対象記録媒体に設定されているかの情報をコピー元記録媒体に書き換えて、記録対象記録媒体をコピー元記録媒体に変更する。その後、終了する。
【００４５】
＜第２の実施形態＞
実施例１では、１つの記録媒体を記録可能にする例について示した。しかし、近年、メディア間をまたいで動画像を記録し続けるリレー記録や、２つのメディアに同様の動画像を記録するダブル記録等の記録方式を搭載した製品が登場している。このような記録にも対応する為には、少なくとも２つも記録媒体を撮像装置１００の放送方式にする必要がる。
【００４６】
図６をフローチャートを参照しながら放送方式の違う記録媒体が撮像装置１００のに装着されてから、リレー記録、もしくはダブル記録可能となるまでの制御を説明していく。
【００４７】
Ｓ６０１では、制御部１０１は不揮発性メモリ１０２に保存されているリレー記録情報、もしくはダブル記録情報より、撮像装置１００は、リレー記録、もしくはダブル記録で動作していたかを判断する。制御部１０１が、撮像装置１００は、リレー記録、もしくはダブル記録モードで動作していると判断した際にはＳ６０２へ進む。リレー記録、もしくはダブル記録モードで動作していないと判断した際には終了する。
【００４８】
Ｓ６０２では、制御部１０１は、記録媒体検出部１（１１０）、記録媒体検出部２（１１３）の情報を元に、撮像装置１００に２個以上の記録媒体が装着されているかを判断する。制御部１０１が、２個以上の記録媒体が装着されていると判断した際は、Ｓ６０３へ進む。また、２個以上の記録媒体装着されていないと判断した際は、終了する。
【００４９】
Ｓ６０３では、制御部１０１は撮像装置１００が動作している放送方式と同じ放送方式でフォーマットされている記録媒体が２個以上撮像装置１００に装着されているかを判断する。２個以上装着されていないと判断した際はＳ６０４へ進む。また、２個以上装着されていると判断した場合は、終了する。尚、記録媒体の放送方式の取得手段についてはＳ２０２の処理と同様である。
【００５０】
Ｓ６０４では、制御部１０１は、コピー動作により、２こ以上の記録媒体を撮像装置１００の放送方式に合わせる事ができるかを判断する。制御部１０１が、コピー動作により、２こ以上の記録媒体を撮像装置１００の放送方式に合わせる事ができると判断した場合は、Ｓ６０５へ進む。２こ以上の記録媒体を撮像装置１００の放送方式に合わせる事ができないと判断した場合は、終了する。この判断について、図７のフローチャートを参照しながら説明していく。
【００５１】
Ｓ７０１では、制御部１０１は、記録媒体検出部１（１１０）、記録媒体検出部２（１１３）の情報を元に、撮像装置１００に３個以上の記録媒体が装着されているかを判断する。制御部１０１が、３個以上の記録媒体が装着されていると判断した際は、Ｓ７０２へ進む。また、３個以上の記録媒体装着されていないと判断した際は、Ｓ７０６へ進む。
【００５２】
Ｓ７０２では、制御部１０１は、撮像装置１００に装着されている記録媒体の中で、１つの記録媒体は、撮像装置１００の放送方式と同じ放送方式でフォーマットされているかを判断する。制御部１０１に装着されている記録媒体の中で、１つの記録媒体の放送方式が撮像装置１００と同様と判断した場合は７０２へ進む。それ以外は７０３へ進む。
【００５３】
Ｓ７０２では、制御部１０１は撮像装置１０１の放送方式とは放送方式の異なるフォーマットで記録されている２つの記録媒体のうち、１つの記録媒体に記録されている全ての画像データをもう片方の記録媒体にコピー出来るかを判断する。１つの記録媒体に記録されている全ての画像データをもう片方の記録媒体にコピー出来るかの判断処理は、Ｓ２０３と同様の判断処理である。
制御部１０１が１つの記録媒体に記録されている全ての画像データをもう片方の記録媒体にコピー出来ると判断した際はＳ７０５へ進む。１つの記録媒体に記録されている全ての画像データをもう片方の記録媒体にコピー出来ないと判断した際はＳ７０６へ進む。
【００５４】
Ｓ７０３では、制御部１０１は、記録場対Ｉ／Ｆを通して、撮像装置１００に装着されている記録媒体の総容量、画像データの容量、空き容量を取得し、ＲＡＭ１０３に保存する。その後、制御部１０１は、ＲＡＭ１０３に保存した、撮像装置１００に装着されている記録媒体の総容量、画像データの容量、空き容量をもとに、撮像装置１０１の放送方式とは放送方式の異なるフォーマットで記録されている３つの記録媒体のうち、２つの記録媒体に記録されている全ての画像データを残りの１つの記録媒体にコピー出来るかを判断する。このコピー可否判断を図８を使って説明する。
【００５５】
撮像装置１００に、８０１のように、記録媒体１（８０２）と、記録媒体２（８０３）、記録媒体８０４が装着されている。記録媒体１は、画像データが６ＧＢ記録されていて、空き容量は２ＧＢであり、記録媒体２には、画像データが３ＧＢ記録されていて、空き容量は１３ＧＢであり、記録媒体８０４は、画像データが２ＧＢ記録されていて、空き容量が２ＧＢである。よって、記録媒体１と記録媒体３の画像データを記録媒体２へコピーする事は可能である。また、それ以外は不可能である。
【００５６】
この際、制御装置１０１はＲＡＭ１０３に、コピー動作により記録媒体を空ける事ができる旨の情報と、記録媒体１と記録媒体２の画像データを記録媒体２へコピーする事が可能である旨の情報を保存する。次に、８０５のように、記録媒体１（８０６）と、記録媒体２（８０７）と、記録媒体３（８０８）が装着されている場合の説明をする。記録媒体１は、画像データが６ＧＢ記録されていて、空き容量は２ＧＢであり、記録媒体２には、画像データが１３ＧＢ記録されていて、空き容量は３ＧＢであるり、記録媒体３には、画像データが２ＧＢ記録されていて、空き容量は２ＧＢである。
【００５７】
その為、、記録媒体１と２の画像データを記録媒体２へコピーする事も、記録媒体１と２の画像データを記録媒体３にコピーする事も、記録媒体２と３の画像データを記録媒体１にコピーする事も不可能である。この際、制御装置１０１はＲＡＭ１０３に、コピー動作により記録媒体を空ける事ができない旨の情報と、記録媒体１と２の画像データを記録媒体２へコピーする事も、記録媒体１と２の画像データを記録媒体３にコピーする事も、記録媒体２と３の画像データを記録媒体１にコピーする事も不可能である旨の情報を保存する。
【００５８】
つまり、７０４のコピー動作により記録媒体を空けれるかの判断は、例えば３つの記録メディアの際、「メディア１の画像データサイズとメディア２の画像データサイズの和が、メディア３の空き容量より小さいか？」、「メディア２の画像データサイズとメディア３の画像データサイズの和が、メディア１の空き容量より小さいか？」、「メディア１の画像データサイズとメディア３の画像データサイズの和が、メディア２の空き容量より小さいか？」という３つの判断を行いどれか１つでもＹＥＳとなれば、コピー可能と判断する事ができる。
【００５９】
制御部１０１はＲＡＭ１０３に保持された、コピー動作により記録媒体を空ける事が出来る旨／出来ない旨の情報より、コピー動作により記録媒体を空ける事が出来るかを出来るかを判断する。記録媒体を空ける事が出来ると判断した際は、Ｓ７０５へ進む。また、出来ない場合はＳ７０６に進む。
【００６０】
Ｓ７０５では、Ｓ６０４の判断結果がＹＥＳである旨をＲＡＭ１０３に保存する。その後終了する。Ｓ７０６では、Ｓ６０４の判断結果がＮｏである旨をＲＡＭ１０３に保存する。その後終了する。
【００６１】
Ｓ６０５では、制御部１０１は、画像処理部１０４を制御して、コピーにより記録媒体が開く旨と、コピーするか否かのＯＳＤを生成させる。画像処理部１０４は生成したＯＳＤを表示部１０６に送信し、表示部１０６にコピーにより記録媒体が開く旨のＯＳＤ表示を行う。ユーザーは操作部１０７を操作して、記録媒体の画像データを別の記録媒体にコピーするか否かを選択する。その後、Ｓ５０６に進む。
【００６２】
Ｓ６０６では、  制御置１０１は操作部１０７より入力されるデータをもとにＳ２０４でユーザーがコピーするを選んだか、コピーしないを選んだかを判断する。コピーするを選択した場合はＳ６０７へ進む。また、コピーしないを選んだ場合は終了する。
【００６３】
Ｓ６０７では、制御部１０１はどの記録媒体（以下、コピー元記録媒体）の画像データをどの記録媒体（以下、コピー先記録媒体）にコピーすれば良いかを、ＲＡＭ１０３に保存されている記録媒体の総容量、画像データの容量、空き容量の情報を用いて判断する。その後、制御部１０１は、記録媒体Ｉ／Ｆを制御して、コピー元記録媒体の画像データの一部を、ＲＡＭ１０３に読みだす。その後、ＲＡＭ１０３に保持されている画像データの一部を記録媒体Ｉ／Ｆを制御してコピー先記録媒体に書き込むという処理を繰り返し、コピー元記録媒体の画像データを全て、コピー先記録媒体にコピーする。その後、Ｓ６０８に進む。
【００６４】
Ｓ６０８では、制御部１０１は、画像処理部１０４を制御して、撮像装置１００の動作している放送方式で、コピー元記録媒体を初期化するか否かの警告とフォーマットするか否かのアイコンを表示する。ユーザーは操作部１０７を操作して、コピー元記録媒体をフォーマットするか否かを選択する。その後Ｓ６０９に進む。
【００６５】
Ｓ６０９では、制御部１０１は、操作部１０７より入力される情報を元に、Ｓ６０８でユーザーがフォーマットするを選択したか、フォーマットしないを選択したかを判断する。制御部１０１が、フォーマットするを選択したと判断した場合はＳ６１０へ進む。また、フォーマットしないを選択したと判断した場合は終了する。
【００６６】
Ｓ６１０では、制御部１０１は、記録媒体Ｉ／Ｆを制御してコピー元記録をフォーマットする。フォーマットを行うと、着脱可能記録媒体、もしくは着脱不可能記録媒体は撮像装置１００が採用しているファイルシステムで使用できるように初期化され、記録されていた画像はすべて消去される。そして、制御部１０１の制御に基づいて、撮像装置１００で現在設定されている放送方式に合わせた管理情報ファイルを生成し、コピー元記録媒体に記録する。この管理情報ファイルには、図３で説明したように記録媒体に記録可能な画像データの放送方式（有効な放送方式）が記録されている。その後Ｓ６１１へすすむ。
【００６７】
Ｓ６１１では、制御部１０１は、揮発性メモリ１０２はに記録されている、どの記録媒体がリレー記録／ダブル記録の記録対象記録媒体に設定されているかの情報をコピー元記録媒体に書き換えて、リレー記録／ダブル記録の記録対象記録媒体をコピー元記録媒体に変更する。その後、終了する。
【００６８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６９】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００７０】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
【００７１】
プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００７２】
１００  撮像装置、１０１  制御部、１０２  不揮発性メモリ、１０３  ＲＡＭ、
１０４  画像処理部、１０５  撮像部、１０６  表示部、１０７  操作部
【図３】
2016010084.tif 000003
【図５】
2016010084.tif 000004
【図１】
2016010084.tif 000005
【図２】
2016010084.tif 000006
【図４】
2016010084.tif 000007
【図６】
2016010084.tif 000008
【図７】
2016010084.tif 000009
【図８】
2016010084.tif 000010